(57)【特許請求の範囲】
【請求項１】
第１画像が形成された第１の媒体から読み取られた第２画像を取得する取得部と、
取得された前記第２画像から前記第１画像の特定の領域を表す第３画像として、前記第１画像の寸法、前記第１の媒体の寸法又は前記第２画像の寸法のいずれかの寸法に応じた大きさ、形、数又は配置の前記第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部と
を備える情報処理装置。
【請求項２】
第１画像が形成された第１の媒体から読み取られた第２画像を取得する取得部と、
取得された前記第２画像から前記第１画像の特定の領域をそれぞれ表す複数の第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、抽出された前記複数の第３画像と当該複数の第３画像に対応付けられた共通の前記宛先情報とを送信する送信部と
を備える情報処理装置。
【請求項３】
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部と、
前記領域の境界を表す境界画像が描かれた前記第２画像が取得された場合に当該第２画像から当該境界を認識する境界認識部を備え、
前記抽出部は、認識された前記境界で区切られた画像を前記第３画像として抽出する
情報処理装置。
【請求項４】
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部とを備え、
前記取得部は、前記領域の境界を表す境界画像が描かれた第３の媒体から読み取られた第４画像を取得し、
取得された前記第４画像から前記境界を認識する境界認識部を備え、
前記抽出部は、認識された前記境界で区切られた画像を前記第３画像として抽出する
情報処理装置。
【請求項５】
第１画像が形成された第１の媒体から読み取られた第２画像を取得する取得部と、
取得された前記第２画像から前記第１画像の特定の領域を表す第３画像を抽出する抽出部と、
複数の宛先情報の候補を表示する表示部と、
表示された前記候補のうちのいずれかをユーザが選択する操作を受け付ける第１受付部と、
前記第１画像が形成された第２の媒体のうち当該第１画像の前記領域を撮影したユーザ端末に対して前記第３画像に対応付けられたコンテンツの宛先情報を通知する通知装置に、当該宛先情報のうち前記第１受付部により受け付けられた操作より選択された宛先情報と、当該宛先情報に対応付けられ且つ前記抽出部により抽出された第３画像とを送信する送信部と
を備える情報処理装置。
【請求項６】
第１画像が形成された第１の媒体から読み取られた第２画像を取得する取得部と、
取得された前記第２画像から前記第１画像の特定の領域を表す第３画像を抽出する抽出部と、
前記第３画像に対応付けられたコンテンツの宛先情報が描かれた前記第２画像が取得された場合に当該第２画像から当該宛先情報を認識する宛先情報認識部と、
前記第１画像が形成された第２の媒体のうち当該第１画像の前記領域を撮影したユーザ端末に対して前記宛先情報を通知する通知装置に、認識された前記宛先情報と、当該宛先情報に対応付けられ且つ前記抽出部により抽出された第３画像とを送信する送信部と
を備える情報処理装置。
【請求項７】
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部とを備え、
前記取得部は、前記宛先情報が描かれた第４の媒体から読み取られた第５画像を取得し、
取得された前記第５画像から前記宛先情報を認識する宛先情報認識部を備え、
前記送信部は、認識された前記宛先情報を送信する
情報処理装置。
【請求項８】
第１画像が形成された第１の媒体から読み取られた第２画像を取得する取得部と、
取得された前記第２画像から前記第１画像の特定の領域を表す第３画像を抽出する抽出部と、
取得された前記第２画像を決められた格納場所に格納する格納部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、前記格納場所に格納された第２画像の要求の送り先を表す情報を前記宛先情報として送信する送信部と
を備える情報処理装置。
【請求項９】
第１画像が形成された第１の媒体から読み取られた第２画像が格納場所に格納され、複数の前記格納場所のうちユーザが指定した格納場所に格納されている前記第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、取得された前記第２画像が格納されていた前記格納場所に格納された第２画像の要求の送り先を表す情報を前記宛先情報として送信する送信部と
を備える情報処理装置。
【請求項１０】
請求項１から９のいずれか１項に記載の情報処理装置と、
前記情報処理装置から送信されてきた前記宛先情報及び前記第３画像に基づいて、前記第２の媒体を撮影して前記第３画像を取得したユーザ端末に対して前記宛先情報を通知する通知装置と
を備える情報処理システム。
【請求項１１】
コンピュータを、
第１画像が形成された第１の媒体から読み取られた第２画像を取得する取得部と、
取得された前記第２画像から前記第１画像の特定の領域を表す第３画像として、前記第１画像の寸法、前記第１の媒体の寸法又は前記第２画像の寸法のいずれかの寸法に応じた大きさ、形、数又は配置の前記第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部
として機能させるためのプログラム。
【請求項１２】
コンピュータを、
第１画像が形成された第１の媒体から読み取られた第２画像を取得する取得部と、
取得された前記第２画像から前記第１画像の特定の領域をそれぞれ表す複数の第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、抽出された前記複数の第３画像と当該複数の第３画像に対応付けられた共通の前記宛先情報とを送信する送信部
として機能させるためのプログラム。
【請求項１３】
コンピュータを、
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部と、
前記領域の境界を表す境界画像が描かれた前記第２画像が取得された場合に当該第２画像から当該境界を認識する境界認識部として機能させるためのプログラムであって、
前記抽出部は、認識された前記境界で区切られた画像を前記第３画像として抽出する
プログラム。
【請求項１４】
コンピュータを、
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部として機能させるためのプログラムであって、
前記取得部は、前記領域の境界を表す境界画像が描かれた第３の媒体から読み取られた第４画像を取得し、
前記コンピュータを、取得された前記第４画像から前記境界を認識する境界認識部として機能させ、
前記抽出部は、認識された前記境界で区切られた画像を前記第３画像として抽出する
プログラム。
【請求項１５】
コンピュータを、
第１画像が形成された第１の媒体から読み取られた第２画像を取得する取得部と、
取得された前記第２画像から前記第１画像の特定の領域を表す第３画像を抽出する抽出部と、
複数の宛先情報の候補を表示する表示部と、
表示された前記候補のうちのいずれかをユーザが選択する操作を受け付ける第１受付部と、
前記第１画像が形成された第２の媒体のうち当該第１画像の前記領域を撮影したユーザ端末に対して前記第３画像に対応付けられたコンテンツの宛先情報を通知する通知装置に、当該宛先情報のうち前記第１受付部により受け付けられた操作より選択された宛先情報と、当該宛先情報に対応付けられ且つ前記抽出部により抽出された第３画像とを送信する送信部
として機能させるためのプログラム。
【請求項１６】
コンピュータを、
第１画像が形成された第１の媒体から読み取られた第２画像を取得する取得部と、
取得された前記第２画像から前記第１画像の特定の領域を表す第３画像を抽出する抽出部と、
前記第３画像に対応付けられたコンテンツの宛先情報が描かれた前記第２画像が取得された場合に当該第２画像から当該宛先情報を認識する宛先情報認識部と、
前記第１画像が形成された第２の媒体のうち当該第１画像の前記領域を撮影したユーザ端末に対して前記宛先情報を通知する通知装置に、認識された前記宛先情報と、当該宛先情報に対応付けられ且つ前記抽出部により抽出された第３画像とを送信する送信部
として機能させるためのプログラム。
【請求項１７】
コンピュータを、
第１画像が形成された第１の媒体から読み取られた第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部として機能させるためのプログラムであって、
前記取得部は、前記宛先情報が描かれた第４の媒体から読み取られた第５画像を取得し、
前記コンピュータを、取得された前記第５画像から前記宛先情報を認識する宛先情報認識部として機能させ、
前記送信部は、認識された前記宛先情報を送信する
プログラム。
【請求項１８】
コンピュータを、
第１画像が形成された第１の媒体から読み取られた第２画像を取得する取得部と、
取得された前記第２画像から前記第１画像の特定の領域を表す第３画像を抽出する抽出部と、
取得された前記第２画像を決められた格納場所に格納する格納部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、前記格納場所に格納された第２画像の要求の送り先を表す情報を前記宛先情報として送信する送信部
として機能させるためのプログラム。
【請求項１９】
コンピュータを、
第１画像が形成された第１の媒体から読み取られた第２画像が格納場所に格納され、複数の前記格納場所のうちユーザが指定した格納場所に格納されている前記第２画像を取得する取得部と、
取得された前記第２画像から前記第１画像の特定の領域を表す第３画像を抽出する抽出部と、
前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、取得された前記第２画像が格納されていた前記格納場所に格納された第２画像の要求の送り先を表す情報を前記宛先情報として送信する送信部
として機能させるためのプログラム。
【発明の詳細な説明】
【技術分野】
【０００１】
本発明は、情報処理装置、情報処理システム及びプログラムに関する。
【背景技術】
【０００２】
ユーザにコンテンツを提供するための技術が知られている。例えば特許文献１には、カメラを内蔵した携帯電話が、メディアマーカの設けられたドキュメントを撮影すると、撮影された写真に写ったメディアマーカにリンクが関連付けられているデジタルメディア（この発明におけるコンテンツ）を表示する技術が開示されている。
【先行技術文献】
【特許文献】
【０００３】
【特許文献１】特開２０１１−１３５５５６号公報
【発明の概要】
【発明が解決しようとする課題】
【０００４】
特許文献１の技術を用いると、例えばパンフレットをスキャナ装置で読み取って、読み取ったパンフレット画像の特定の領域をメディアマーカとしてそこに関連するウェブページへのＵＲＬを対応付けておくことで、パンフレットを受け取ったユーザをウェブページに誘導することができる。特許文献１の技術では、この対応付けを行うために、ユーザが、パンフレット画像を画面に表示させ、その画面上でパンフレット画像の特定の位置を指し示す作業を行う必要がある。
【０００５】
この作業はパンフレット画像を表示する画面が大きいほど行いやすいが、例えばパンフレットを読み取ったスキャナ装置の操作パネルにパンフレット画像を表示させてこの作業を行う場合、操作パネルはパーソナルコンピュータなどのディスプレイに比べて小さいことが多いため、作業が行いにくい。
そこで、本発明は、媒体から読み取られた画像が表示された画面上でその画像の特定の位置を指し示す操作が行われなくとも、その画像の特定の領域を指定することを目的とする。
【課題を解決するための手段】
【０００６】
本発明の請求項１に係る情報処理装置は第１画像が形成された第１の媒体から読み取られた第２画像を取得する取得部と、取得された前記第２画像から前記第１画像の特定の領域を表す第３画像として、前記第１画像の寸法、前記第１の媒体の寸法又は前記第２画像の寸法のいずれかの寸法に応じた大きさ、形、数又は配置の前記第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部とを備えることを特徴とする。
【０００７】
本発明の請求項２に係る情報処理装置は、第１画像が形成された第１の媒体から読み取られた第２画像を取得する取得部と、取得された前記第２画像から前記第１画像の特定の領域をそれぞれ表す複数の第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、抽出された前記複数の第３画像と当該複数の第３画像に対応付けられた共通の前記宛先情報とを送信する送信部とを備えることを特徴とする。
【０００８】
本発明の請求項３に係る情報処理装置は、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部と、前記領域の境界を表す境界画像が描かれた前記第２画像が取得された場合に当該第２画像から当該境界を認識する境界認識部を備え、前記抽出部は、認識された前記境界で区切られた画像を前記第３画像として抽出することを特徴とする。
【０００９】
本発明の請求項４に係る情報処理装置は、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部とを備え、前記取得部は、前記領域の境界を表す境界画像が描かれた第３の媒体から読み取られた第４画像を取得し、取得された前記第４画像から前記境界を認識する境界認識部を備え、前記抽出部は、認識された前記境界で区切られた画像を前記第３画像として抽出することを特徴とする。
【００１０】
本発明の請求項５に係る情報処理装置は、第１画像が形成された第１の媒体から読み取られた第２画像を取得する取得部と、取得された前記第２画像から前記第１画像の特定の領域を表す第３画像を抽出する抽出部と、複数の宛先情報の候補を表示する表示部と、表示された前記候補のうちのいずれかをユーザが選択する操作を受け付ける第１受付部と、前記第１画像が形成された第２の媒体のうち当該第１画像の前記領域を撮影したユーザ端末に対して前記第３画像に対応付けられたコンテンツの宛先情報を通知する通知装置に、当該宛先情報のうち前記第１受付部により受け付けられた操作より選択された宛先情報と、当該宛先情報に対応付けられ且つ前記抽出部により抽出された第３画像とを送信する送信部とを備えることを特徴とする。
【００１１】
本発明の請求項６に係る情報処理装置は、第１画像が形成された第１の媒体から読み取られた第２画像を取得する取得部と、取得された前記第２画像から前記第１画像の特定の領域を表す第３画像を抽出する抽出部と、前記第３画像に対応付けられたコンテンツの宛先情報が描かれた前記第２画像が取得された場合に当該第２画像から当該宛先情報を認識する宛先情報認識部と、前記第１画像が形成された第２の媒体のうち当該第１画像の前記領域を撮影したユーザ端末に対して前記宛先情報を通知する通知装置に、認識された前記宛先情報と、当該宛先情報に対応付けられ且つ前記抽出部により抽出された第３画像とを送信する送信部とを備えることを特徴とする。
【００１２】
本発明の請求項７に係る情報処理装置は、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部とを備え、前記取得部は、前記宛先情報が描かれた第４の媒体から読み取られた第５画像を取得し、取得された前記第５画像から前記宛先情報を認識する宛先情報認識部を備え、前記送信部は、認識された前記宛先情報を送信することを特徴とする。
【００１３】
本発明の請求項８に係る情報処理装置は、第１画像が形成された第１の媒体から読み取られた第２画像を取得する取得部と、取得された前記第２画像から前記第１画像の特定の領域を表す第３画像を抽出する抽出部と、取得された前記第２画像を決められた格納場所に格納する格納部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、前記格納場所に格納された第２画像の要求の送り先を表す情報を前記宛先情報として送信する送信部とを備えることを特徴とする。
【００１４】
本発明の請求項９に係る情報処理装置は、第１画像が形成された第１の媒体から読み取られた第２画像が格納場所に格納され、複数の前記格納場所のうちユーザが指定した格納場所に格納されている前記第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、取得された前記第２画像が格納されていた前記格納場所に格納された第２画像の要求の送り先を表す情報を前記宛先情報として送信する送信部とを備えることを特徴とする。
【００１５】
本発明の請求項１０に係る情報処理システムは、請求項１から９のいずれか１項に記載の情報処理装置と、前記情報処理装置から送信されてきた前記宛先情報及び前記第３画像に基づいて、前記第２の媒体を撮影して前記第３画像を取得したユーザ端末に対して前記宛先情報を通知する通知装置とを備えることを特徴とする。
【００１６】
本発明の請求項１１に係るプログラムは、コンピュータを、第１画像が形成された第１の媒体から読み取られた第２画像を取得する取得部と、取得された前記第２画像から前記第１画像の特定の領域を表す第３画像として、前記第１画像の寸法、前記第１の媒体の寸法又は前記第２画像の寸法のいずれかの寸法に応じた大きさ、形、数又は配置の前記第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部として機能させることを特徴とする。
本発明の請求項１２に係るプログラムは、コンピュータを、第１画像が形成された第１の媒体から読み取られた第２画像を取得する取得部と、取得された前記第２画像から前記第１画像の特定の領域をそれぞれ表す複数の第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、抽出された前記複数の第３画像と当該複数の第３画像に対応付けられた共通の前記宛先情報とを送信する送信部として機能させることを特徴とする。
本発明の請求項１３に係るプログラムは、コンピュータを、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部と、前記領域の境界を表す境界画像が描かれた前記第２画像が取得された場合に当該第２画像から当該境界を認識する境界認識部として機能させるためのプログラムであって、前記抽出部は、認識された前記境界で区切られた画像を前記第３画像として抽出することを特徴とする。
【００１７】
本発明の請求項１４に係るプログラムは、コンピュータを、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部として機能させるためのプログラムであって、前記取得部は、前記領域の境界を表す境界画像が描かれた第３の媒体から読み取られた第４画像を取得し、前記コンピュータを、取得された前記第４画像から前記境界を認識する境界認識部として機能させ、前記抽出部は、認識された前記境界で区切られた画像を前記第３画像として抽出することを特徴とする。
本発明の請求項１５に係るプログラムは、コンピュータを、第１画像が形成された第１の媒体から読み取られた第２画像を取得する取得部と、取得された前記第２画像から前記第１画像の特定の領域を表す第３画像を抽出する抽出部と、複数の宛先情報の候補を表示する表示部と、表示された前記候補のうちのいずれかをユーザが選択する操作を受け付ける第１受付部と、前記第１画像が形成された第２の媒体のうち当該第１画像の前記領域を撮影したユーザ端末に対して前記第３画像に対応付けられたコンテンツの宛先情報を通知する通知装置に、当該宛先情報のうち前記第１受付部により受け付けられた操作より選択された宛先情報と、当該宛先情報に対応付けられ且つ前記抽出部により抽出された第３画像とを送信する送信部として機能させることを特徴とする。
本発明の請求項１６に係るプログラムは、コンピュータを、第１画像が形成された第１の媒体から読み取られた第２画像を取得する取得部と、取得された前記第２画像から前記第１画像の特定の領域を表す第３画像を抽出する抽出部と、前記第３画像に対応付けられたコンテンツの宛先情報が描かれた前記第２画像が取得された場合に当該第２画像から当該宛先情報を認識する宛先情報認識部と、前記第１画像が形成された第２の媒体のうち当該第１画像の前記領域を撮影したユーザ端末に対して前記宛先情報を通知する通知装置に、認識された前記宛先情報と、当該宛先情報に対応付けられ且つ前記抽出部により抽出された第３画像とを送信する送信部として機能させることを特徴とする。
【００１８】
本発明の請求項１７に係るプログラムは、コンピュータを、第１画像が形成された第１の媒体から読み取られた第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部として機能させるためのプログラムであって、前記取得部は、前記宛先情報が描かれた第４の媒体から読み取られた第５画像を取得し、前記コンピュータを、取得された前記第５画像から前記宛先情報を認識する宛先情報認識部として機能させ、前記送信部は、認識された前記宛先情報を送信することを特徴とする。
本発明の請求項１８に係るプログラムは、コンピュータを、第１画像が形成された第１の媒体から読み取られた第２画像を取得する取得部と、取得された前記第２画像から前記第１画像の特定の領域を表す第３画像を抽出する抽出部と、取得された前記第２画像を決められた格納場所に格納する格納部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、前記格納場所に格納された第２画像の要求の送り先を表す情報を前記宛先情報として送信する送信部として機能させることを特徴とする。
本発明の請求項１９に係るプログラムは、コンピュータを、第１画像が形成された第１の媒体から読み取られた第２画像が格納場所に格納され、複数の前記格納場所のうちユーザが指定した格納場所に格納されている前記第２画像を取得する取得部と、取得された前記第２画像から前記第１画像の特定の領域を表す第３画像を抽出する抽出部と、前記第１画像が形成された第２の媒体のうち当該第１画像の前記領域を撮影したユーザ端末に対して前記第３画像に対応付けられたコンテンツの宛先情報を通知する通知装置に、当該宛先情報と、当該宛先情報に対応付けられ且つ前記抽出部により抽出された第３画像とを送信する送信部であって、取得された前記第２画像が格納されていた前記格納場所に格納された第２画像の要求の送り先を表す情報を前記宛先情報として送信する送信部として機能させることを特徴とする。
【発明の効果】
【００１９】
請求項１〜１９に係る発明によれば、媒体から読み取られた画像が表示された画面上でその画像の特定の位置を指し示す操作が行われなくとも、その画像の特定の領域を指定することができる。
請求項１、１１に係る発明によれば、本発明の各寸法に合わせた第３画像を抽出することができる。
請求項２、１２に係る発明によれば、第３画像が１つしか抽出されない場合に比べて、特定のコンテンツをユーザに提供しやすくすることができる。
請求項３、４、１３、１４に係る発明によれば、ユーザが手書きで第３画像の境界を決めることができる。
請求項５、１５に係る発明によれば、ユーザが複数の候補から選択する操作を行うだけで宛先情報を送信することができる。
請求項６、７、１６、１７に係る発明によれば、ユーザが手書きで宛先情報を指定することができる。
請求項８、１８に係る発明によれば、第２画像を格納場所に格納することで宛先情報を指定することができる。
請求項９、１９に係る発明によれば、ユーザが第２画像の格納場所を指定することで宛先情報を指定することができる。
【図面の簡単な説明】
【００２０】
【図１】第１実施例に係るコンテンツ提供システムの全体構成を表す図
【図２】コンテンツ配信装置のハードウェア構成を表す図
【図３】画像読取装置のハードウェア構成を表す図
【図４】サーバ装置のハードウェア構成を表す図
【図５】スマートフォンのハードウェア構成を表す図
【図６】各装置が実現する機能構成を表す図
【図７】抽出される領域画像の一例を表す図
【図８】表示された複数の宛先情報の候補の一例を表す図
【図９】表示された入力欄の一例を表す図
【図１０】生成された対応付けファイルの一例を表す図
【図１１】記憶された宛先情報等の一例を表す図
【図１２】撮影された画像の一例を表す図
【図１３】表示されたコンテンツの一例を表す図
【図１４】対応付け処理における各装置の動作手順の一例を表す図
【図１５】コンテンツ提供処理における各装置の動作手順の一例を表す図
【図１６】第２実施例の各装置が実現する機能構成を表す図
【図１７】連続読取操作を受け付けるための画面の一例を表す図
【図１８】連続で画像が読み取られる２枚の媒体の一例を表す図
【図１９】第３実施例の各装置が実現する機能構成を表す図
【図２０】格納場所の指定操作を受け付けるための画面の一例を表す図
【図２１】変形例で抽出される領域画像の例を表す図
【図２２】変形例で領域画像が抽出される媒体の例を表す図
【図２３】変形例で領域画像が抽出される媒体の例を表す図
【図２４】変形例の各装置が実現する機能構成を表す図
【図２５】読取画像の格納場所が表示された画面の一例を表す図
【図２６】変形例の画像読取装置が実現する機能構成の一例を表す図
【図２７】変形例のコンテンツ提供システムが実現する機能構成の一例を表す図
【発明を実施するための形態】
【００２１】
［１］第１実施例
図１は第１実施例に係るコンテンツ提供システム１の全体構成を表す。コンテンツ提供システム１は、自システムを利用するユーザにウェブページや動画などのコンテンツを提供するシステムである。コンテンツ提供システム１は、通信回線２と、コンテンツ配信装置１０と、画像読取装置２０と、サーバ装置３０と、スマートフォン４０とを備える。
【００２２】
通信回線２は、例えば移動体通信網及びインターネット等を含み、装置同士のデータのやり取りを仲介するシステムである。通信回線２にはコンテンツ提供システム１が備える各装置が有線又は無線で接続される。コンテンツ配信装置１０は、ウェブページや動画などのコンテンツを記憶しており、外部装置からの要求に応答してそれらのコンテンツを配信する。コンテンツ配信装置１０は、本実施例では、図１に表す「○○県観光地のウェブページ」というコンテンツＡ１を配信する。
【００２３】
画像読取装置２０は、イメージスキャナを備え、用紙等の媒体に形成された画像を読み取る処理を行う。画像読取装置２０は本発明の「情報処理装置」の一例である。画像読取装置２０は、例えば、コンテンツＡ１をユーザに提供する者又はその者から作業の依頼を受けた者によって用いられる。本実施例では、これらの作業者が、図１に表す「○○県パンフレット」を表すパンフレット画像Ｂ１が形成された媒体Ｐ１を画像読取装置２０にセットして、画像読み取りの作業を行うものとする。画像読取装置２０は、画像の読み取り結果（詳細は後述する）をサーバ装置３０に送信する。
【００２４】
サーバ装置３０は、本システムにおいてユーザに提供されるコンテンツの宛先情報を、ユーザが利用するユーザ端末に通知する装置である。サーバ装置３０は本発明の「通知装置」の一例である。コンテンツの宛先情報とは、そのコンテンツを取得する際にコンテンツを要求する宛先を表す情報であり、例えばウェブページのＵＲＬ（Uniform Resource Locator）である。サーバ装置３０は、本実施例では、コンテンツＡ１のＵＲＬを宛先情報としてユーザ端末に通知する。サーバ装置３０は、この宛先情報を、画像読取装置２０から送信されてきた画像の読取結果に対応付けて記憶しておく。
【００２５】
スマートフォン４０は、ユーザによって利用される装置であり、本発明の「ユーザ端末」の一例である。スマートフォン４０は、タッチスクリーン及びデジタルカメラを備えている。本実施例では、上述した作業者が媒体Ｐ１と同様にパンフレット画像Ｂ１が形成された媒体Ｐ２をユーザに配布するものとする。ユーザがスマートフォン４０を操作して媒体Ｐ２の画像をタッチスクリーンに表示させると、スマートフォン４０は、表示した媒体Ｐ２を撮影し、その撮影結果を用いてサーバ装置３０に宛先情報を要求する。
【００２６】
サーバ装置３０は、スマートフォン４０による撮影結果と画像読取装置２０による画像の読取結果とを比較して、撮影された画像と読み取られた画像とが共通していると判断されれば、この要求に応答して、画像の読取結果に対応付けて記憶しているコンテンツＡ１の宛先情報をスマートフォン４０に通知する。スマートフォン４０は、通知された宛先情報が表す宛先にコンテンツを要求し、コンテンツＡ１を取得してタッチスクリーンに表示する。コンテンツ提供システム１においては、このようにしてユーザにコンテンツが提供される。
【００２７】
図２はコンテンツ配信装置１０のハードウェア構成を表す。コンテンツ配信装置１０は、ＣＰＵ（Central Processing Unit）１１と、ＲＡＭ（Random Access Memory）１２と、ＲＯＭ（Read Only Memory）１３と、ストレージ１４と、ＮＩＣ（Network Interface Card）１５とを備えるコンピュータである。ＣＰＵ１１は、ＲＡＭ１２をワークエリアとして用いてＲＯＭ１３やストレージ１４に記憶されているプログラムを実行することで各部の動作を制御する。ストレージ１４は、ＨＤＤ（Hard Disk Drive）やＳＳＤ（Solid State Drive）などの記憶媒体であり、ＣＰＵ１１が制御に用いるデータやプログラムを記憶している。ＮＩＣ１５は、通信回路を有し、通信回線２を介して外部装置と通信を行う。
【００２８】
図３は画像読取装置２０のハードウェア構成を表す。画像読取装置２０は、ＣＰＵ２１と、ＲＡＭ２２と、ＲＯＭ２３と、ストレージ２４と、ＮＩＣ２５と、イメージスキャナ２６と、操作パネル２７とを備えるコンピュータである。ＣＰＵ２１からＮＩＣ２５までは図２に表す同名のハードウェアとそれぞれ共通している。イメージスキャナ２６は、イメージセンサを備え、シート状の媒体からその媒体の表面に表された画像を光学的に読み取る。この画像には、画像形成装置により形成された画像や人間が手で描いた画像などが含まれる。イメージスキャナ２６は、読み取った画像を表す画像データをＣＰＵ２１に供給する。操作パネル２７は、タッチスクリーンを備え、自装置の状態や処理の状態などを表す情報を表示するとともに、操作子などの画像を表示してユーザの操作を受け付ける。
【００２９】
図４はサーバ装置３０のハードウェア構成を表す。サーバ装置３０は、ＣＰＵ３１と、ＲＡＭ３２と、ＲＯＭ３３と、ストレージ３４と、ＮＩＣ３５とを備えるコンピュータである。これらは図２に表す同名のハードウェアと共通している。
【００３０】
図５はスマートフォン４０のハードウェア構成を表す。スマートフォン４０は、ＣＰＵ４１と、ＲＡＭ４２と、ＲＯＭ４３と、ストレージ４４と、ＮＩＣ４５と、タッチスクリーン４６と、デジタルカメラ４７とを備えるコンピュータである。ＣＰＵ４１、ＲＡＭ４２、ＲＯＭ４３は図２に表す同名のハードウェアと共通している。ストレージ４４は、フラッシュメモリなどの記憶媒体であり、ＣＰＵ４１が制御に用いるデータやプログラムを記憶している。ストレージ４４は、自装置がコンテンツを取得する機能を実現するコンテンツ取得プログラムを記憶している。
【００３１】
ＮＩＣ４５は、移動体通信の通信回路を有し、無線通信を行う通信回線２を介して外部装置と通信を行う。タッチスクリーン４６は、ディスプレイと、ディスプレイの表面に設けられたタッチパネルとを備え、画像を表示するとともに、ユーザからの操作を受け付ける。デジタルカメラ４７は、レンズ及びイメージセンサ等を備え、写真を撮影する。デジタルカメラ４７は、撮影した写真を表す写真データをＣＰＵ４１に供給する。
【００３２】
コンテンツ提供システム１が備える各装置のＣＰＵがプログラムを実行して各部を制御することで、以下に述べる機能が実現される。
図６は各装置が実現する機能構成を表す。コンテンツ配信装置１０は、コンテンツ読出部１０１と、コンテンツ送信部１０２とを備える。画像読取装置２０は、画像読取部２０１と、読取画像取得部２０２と、領域画像抽出部２０３と、宛先情報候補登録部２０４と、宛先情報候補表示部２０５と、選択操作受付部２０６と、入力欄表示部２０７と、入力操作受付部２０８と、宛先情報対応付け部２０９と、宛先情報・領域画像送信部２１０とを備える。サーバ装置３０は、第１特徴量算出部３０１と、宛先情報・領域画像記憶部３０２と、第２特徴量算出部３０３と、領域画像特定部３０４と、宛先情報通知部３０５とを備える。スマートフォン４０は、撮影部４０１と、宛先情報要求部４０２と、コンテンツ要求部４０３と、コンテンツ表示部４０４とを備える。
【００３３】
画像読取装置２０の画像読取部２０１は、画像が形成された媒体から画像を読み取る。画像読取部２０１は、例えば、パンフレットやチラシ、ポスター、カタログなど、ユーザに配布される配布媒体から画像を読み取る。これらの配布媒体には共通の絵柄や文章を表す画像が形成されている。画像の形成は、例えば印刷やコピーなどによって行われる。本実施例では、印刷によって媒体に画像が形成されるものとし、媒体に形成された画像のことを「印刷画像」という（あくまで一例であり、画像の形成を印刷に限定するものではない）。また、印刷画像が形成された媒体から画像読取部２０１が読み取った画像のことを「読取画像」という。印刷画像は本発明の「第１画像」の一例であり、読取画像は本発明の「第２画像」の一例である。
【００３４】
印刷画像は、媒体の全体に形成されていてもよいし、媒体の一部に形成されていてもよい。後者の場合、媒体に複数の印刷画像が形成されていてもよい。例えば図１に表す媒体Ｐ１には、パンフレット画像Ｂ１が印刷画像として形成されている。画像読取部２０１は、印刷画像が形成された媒体から画像を読み取ると、その読み取りの結果得られる読取画像を表す画像データを読取画像取得部２０２に供給する。
【００３５】
画像読取装置２０の読取画像取得部２０２は、印刷画像が形成された媒体から読み取られた読取画像を取得する。読取画像取得部２０２は本発明の「取得部」の一例であり、印刷画像が形成された媒体は本発明の「第１の媒体」の一例である。読取画像取得部２０２は、画像読取部２０１から供給される画像データが表す画像を読取画像として取得する。読取画像取得部２０２は、取得した読取画像を領域画像抽出部２０３に供給する。
【００３６】
画像読取装置２０の領域画像抽出部２０３は、読取画像取得部２０２により取得された読取画像から印刷画像の特定の領域を表す領域画像を抽出する。領域画像抽出部２０３は本発明の「抽出部」の一例であり、領域画像は本発明の「第３画像」の一例である。領域画像抽出部２０３は、例えば、図１に表す媒体Ｐ１から読み取られた読取画像が取得された場合、媒体Ｐ１に形成されている印刷画像であるパンフレット画像Ｂ１の特定の領域を表す画像を領域画像として抽出する。
【００３７】
図７は抽出される領域画像の一例を表す。図７（ａ）では、図１に表すパンフレット画像Ｂ１が形成された媒体Ｐ１が表されており、図７（ｂ）では、媒体Ｐ１から読み取られた読取画像Ｄ１が表されている。本実施例では、パンフレット画像Ｂ１が媒体Ｐ１の全体に形成されており、読取画像Ｄ１は媒体Ｐ１の全体を読み取った画像であるものとする。従って、読取画像Ｄ１は、パンフレット画像Ｂ１の全体を表している。
【００３８】
領域画像抽出部２０３は、本実施例では、読取画像Ｄ１が含んでいる最大正方形領域（正方形の領域のうちの最大のもの）のうち最も上側に位置しているものである最大正方形領域Ｃ１に表されている画像を領域画像として抽出し、図７（ｃ）に表す領域画像Ｅ１を生成する。この領域画像Ｅ１は、図７（ａ）に表すパンフレット画像Ｂ１の正方形領域Ｃ２を表す画像である。領域画像抽出部２０３は、こうして領域画像を抽出すると、抽出した領域画像を宛先情報対応付け部２０９に供給する。
【００３９】
画像読取装置２０の宛先情報候補登録部２０４は、宛先情報の候補を登録する。例えば上述した作業者がパーソナルコンピュータ等の外部装置を操作してコンテンツ名と宛先情報とを対応付けて表す登録データを作成し、画像読取装置２０に送信する。この登録データは宛先情報候補登録部２０４に供給され、宛先情報候補登録部２０４は、供給された登録データを自装置に記憶させることで、この登録データが表すコンテンツ名及び宛先情報を登録する。
【００４０】
画像読取装置２０の宛先情報候補表示部２０５は、宛先情報候補登録部２０４により登録された宛先情報の候補を表示する。宛先情報候補表示部２０５は、ユーザが宛先情報及び領域画像を対応付けるための操作を行うと、宛先情報候補登録部２０４によって登録された宛先情報の候補を読み出して表示する。
【００４１】
図８は表示された宛先情報の候補の一例を表す。図８では、操作パネル２７に表示された宛先情報の管理画面が表されている。宛先情報候補表示部２０５は、「Ｃ０１」等の名称が付けられた複数のコンテンツのそれぞれにアクセスするためのＵＲＬが複数の宛先情報候補Ｆ１と、各ＵＲＬには対応する選択ボタンＧ１とを表示している。また、宛先情報候補表示部２０５は、「コンテンツ名・ＵＲＬを選択して設定ボタンを押してください。」という文字列と設定ボタンＧ２とを表示している。宛先情報候補表示部２０５は、各選択ボタンＧ１及び設定ボタンＧ２の座標と、各選択ボタンＧ１に対応させて表示しているコンテンツ名及び複数の宛先情報候補Ｆ１を選択操作受付部２０６に供給する。
【００４２】
画像読取装置２０の選択操作受付部２０６は、表示された複数の宛先情報の候補のいずれかをユーザが選択する操作を受け付ける機能であり、本発明の「第１受付部」の一例である。選択操作受付部２０６は、供給された選択ボタンＧ１の座標のうちのいずれかがユーザによって操作され、続けて設定ボタンＧ２が操作されると、それらの操作を、操作された選択ボタンＧ１に対応する宛先情報（この例ではＵＲＬ）を選択する操作として受け付ける。選択操作受付部２０６は、選択操作を受け付けたコンテンツ名及びＵＲＬを宛先情報対応付け部２０９に供給する。
【００４３】
画像読取装置２０の入力欄表示部２０７は、ユーザが文字列を入力するための入力欄を表示する。
図９は表示された入力欄の一例を表す。図９では、図８と同様に、操作パネル２７に表示された宛先情報の管理画面が表されている。入力欄表示部２０７は、コンテンツ名及びＵＲＬを入力するための入力欄Ｈ１と、キーボード画像Ｇ３と、設定ボタンＧ４とを表示している。入力欄表示部２０７は、キーボード画像Ｇ３の各キーの内容及び座標と、設定ボタンＧ４の座標とを入力操作受付部２０８に通知する。
【００４４】
画像読取装置２０の入力操作受付部２０８は、ユーザが宛先情報を表す文字列を入力する操作を受け付ける機能であり、本発明の「第２受付部」の一例である。入力操作受付部２０８は、供給された各キーの座標に基づいてユーザの操作により入力された文字列を判断し、続けて設定ボタンＧ４が操作されると、それらの操作を、コンテンツ名及び宛先情報（この例ではＵＲＬ）を表す文字列を入力する操作として受け付ける。入力操作受付部２０８は、文字列の入力操作を受け付けたコンテンツ名及びＵＲＬを宛先情報対応付け部２０９に供給する。なお、図９の例に限らず、例えばフリック入力の可能なソフトウェアキーボードによる入力が受け付けられてもよいし、画像読取装置が物理キーボードを備えていればそれによる入力が受け付けられてもよい。
【００４５】
画像読取装置２０の宛先情報対応付け部２０９は、領域画像抽出部２０３により抽出された領域画像と、ユーザにより指定された宛先情報とを対応付ける。上述した作業者は、例えば、媒体を読み取らせる作業と、宛先情報を選択又は入力する作業とを順番に行う。宛先情報対応付け部２０９は、領域画像抽出部２０３から領域画像が供給されてくると、その後に選択操作受付部２０６又は入力操作受付部２０８から供給されてきたコンテンツ名及びＵＲＬとその領域画像とを対応付ける。具体的には、宛先情報対応付け部２０９は、例えば、領域画像のファイル名と、コンテンツ名と、ＵＲＬとを対応付けた対応付けファイルを生成する。
【００４６】
具体的には、宛先情報対応付け部２０９は、例えば、領域画像のファイル名と、コンテンツ名と、ＵＲＬとを対応付けた対応付けファイルを生成する。
図１０は生成された対応付けファイルの一例を表す。図１０の例では、「Ｒ０１．ｊｐｇ」という領域画像のファイル名と、「Ｃ０１」というコンテンツ名と、「ｈｔｔｐ・・・」というＵＲＬとが対応付けられている。このＵＲＬは、コンテンツ配信装置１０が記憶している図１に表すコンテンツＡ１のＵＲＬである。宛先情報対応付け部２０９は、生成した対応付けファイルと、供給された領域画像、コンテンツ名、ＵＲＬとを宛先情報・領域画像送信部２１０に供給する。
【００４７】
画像読取装置２０の宛先情報・領域画像送信部２１０は、宛先情報対応付け部２０９により互いに対応付けられた宛先情報及び領域画像を、この宛先情報をユーザ端末（本実施例ではスマートフォン４０）に通知する通知装置（本実施例ではサーバ装置３０）に送信する。宛先情報・領域画像送信部２１０は本発明の「送信部」の一例である。宛先情報・領域画像送信部２１０は、サーバ装置３０の宛先（ＩＰ（Internet Protocol）アドレス等）を予め記憶しており、宛先情報対応付け部２０９から供給されてきた対応付けファイルにより対応付けられている各情報（領域画像、コンテンツ名、ＵＲＬ）をサーバ装置３０に送信する。
【００４８】
宛先情報・領域画像送信部２１０は、選択操作受付部２０６から供給されたＵＲＬが領域画像に対応付けられた場合には、そのＵＲＬ、すなわち選択操作受付部２０６により受け付けられた操作より選択された宛先情報を送信するし、入力操作受付部２０８から供給されたコンテンツ名及びＵＲＬが領域画像に対応付けられた場合には、そのＵＲＬ、すなわち入力操作受付部２０８により受け付けられた操作より入力された文字列が表す宛先情報を送信する。
【００４９】
宛先情報・領域画像送信部２１０が送信した各情報は、サーバ装置３０の第１特徴量算出部３０１に供給される。第１特徴量算出部３０１は、画像読取装置２０から送信されてきた領域画像から特徴量を算出する。第１特徴量算出部３０１は、例えば、ＳＩＦＴ（Scale-Invariant Feature Transform）やＰＣＡ（Principal Component Analysis）−ＳＩＦＴ、ＳＵＲＦ（Supeeded-Up. Robust Features）などの局所特徴量を算出する。第１特徴量算出部３０１は、算出した特徴量を、供給された各情報（領域画像、コンテンツ名、ＵＲＬ）とともに宛先情報・領域画像記憶部３０２に供給する。
【００５０】
サーバ装置３０の宛先情報・領域画像記憶部３０２は、画像読取装置２０から送信されてきた宛先情報及び領域画像を互いに対応付けて記憶する。宛先情報・領域画像記憶部３０２は、第１特徴量算出部３０１により算出された特徴量が決められた条件を満たす場合に、その特徴量が算出された領域画像とそれに対応付けられた宛先情報及びコンテンツ名とを記憶する。決められた条件としては、例えば、特徴量が算出された特徴点の数が閾値以上である場合に満たされる条件が用いられる。特徴点が少ないほど、特徴量から領域画像が認識される確率が低くなるため、宛先情報・領域画像記憶部３０２は、特徴点の数が閾値未満である領域画像は認識確率が不十分だと判断し、領域画像、宛先情報及びコンテンツ名を記憶しない。
【００５１】
図１１は記憶された宛先情報等の一例を表す。宛先情報・領域画像記憶部３０２は、図１０の例で対応付けられていた領域画像のファイル名、コンテンツ名、ＵＲＬに加え、その領域画像について算出された特徴量を互いに対応付けて記憶している。図１１の例では、「Ｒ０１．ｊｐｇ」、「Ｒ０２．ｊｐｇ」、「Ｒ０３．ｊｐｇ」という３つの領域画像にそれぞれ特徴量、コンテンツ名、ＵＲＬが対応付けて記憶されている。これらの情報は、後述する領域画像特定部３０４から参照される。
【００５２】
スマートフォン４０の撮影部４０１は、撮影した画像を表す撮影画像データを生成する機能であり、例えば印刷画像が形成された媒体を撮影してその媒体の画像を表す撮影画像データを生成する。
図１２は撮影された媒体の画像の一例を表す。図１２では、図１に表すパンフレット画像Ｂ１が形成された媒体Ｐ２（図１２（ａ）参照）が撮影された例を表している。この媒体Ｐ２は、例えば図１に表す媒体Ｐ１を配布する事業者がスマートフォン４０を利用するユーザに配布したものである。
【００５３】
このユーザがスマートフォン４０のデジタルカメラ４７のレンズを媒体Ｐ２に向けることで、タッチスクリーン４６の撮影画面における画像表示領域Ｊ１に媒体Ｐ２を含む媒体画像Ｋ１が表示される（図１２（ｂ）参照）。この撮影画面には、撮影ボタンＧ５が表示されており、ユーザがこの撮影ボタンＧ５を押す操作を行うと、撮影部４０１は、表示されている媒体画像Ｋ１を撮影し、撮影した画像を表す撮影画像データを生成する。撮影部４０１は、生成した撮影画像データを宛先情報要求部４０２に供給する。
【００５４】
スマートフォン４０の宛先情報要求部４０２は、自装置が撮影した媒体の画像にその媒体に形成されている印刷画像の領域画像が含まれていれば、その領域画像に対応付けられた宛先情報を送信するように、サーバ装置３０に要求する。言い換えると、宛先情報要求部４０２は、撮影部４０１の撮影により領域画像が取得されている場合に、その領域画像に対応付けられた宛先情報の送信を要求する。宛先情報要求部４０２は、撮影部４０１から撮影画像データが供給されると、その撮影画像データと前述した要求とを表す要求データをサーバ装置３０に送信する。この要求データはサーバ装置３０の第２特徴量算出部３０３に供給される。
【００５５】
サーバ装置３０の第２特徴量算出部３０３は、ユーザ端末（本実施例ではスマートフォン４０）が撮影した画像から特徴量を算出する。第２特徴量算出部３０３は、前述した要求データが供給されると、その要求データが表す画像、すなわちユーザ端末により撮影された画像、における特徴量を算出する。このとき、第２特徴量算出部３０３は、第１特徴量算出部３０１が算出したものと共通の特徴量（例えばＳＩＦＴなど）を算出し、その算出結果として各特徴点の特徴量を領域画像特定部３０４に供給する。
【００５６】
例えばスマートフォン４０において図１２（ｂ）に表す状態で撮影ボタンＧ５を押す操作が行われると、パンフレット画像Ｂ１の全体を表す媒体画像Ｋ１の各特徴点の特徴量が第２特徴量算出部３０３によって算出される。媒体画像Ｋ１には図７（ｃ）に表す領域画像Ｅ１に相当する領域の全体が含まれているので、このときに第２特徴量算出部３０３によって特徴量が算出される各特徴点の中には、第１特徴量算出部３０１が領域画像Ｅ１から特徴量を算出した各特徴点が含まれることになる。以下では、第１特徴量算出部３０１が算出した特徴量を第１特徴量といい、第２特徴量算出部３０３が算出した特徴量を第２特徴量という。
【００５７】
サーバ装置３０の領域画像特定部３０４は、ユーザ端末が撮影した媒体の画像に含まれる領域画像を特定する。領域画像特定部３０４は、第２特徴量算出部３０３から第２特徴量が供給されると、その第２特徴量と、宛先情報・領域画像記憶部３０２に記憶されている第１特徴量とを比較して、第２特徴量が算出された画像に含まれる領域画像を特定する。領域画像特定部３０４は、例えば第２特徴量に、或る第１特徴量との差が閾値未満となる部分が含まれていれば、その第１特徴量が算出された領域画像を特定する。
【００５８】
領域画像特定部３０４は、例えば媒体画像Ｋ１の第２特徴量が算出された場合、媒体画像Ｋ１に写っているパンフレット画像Ｂ１に含まれる領域画像Ｅ１について算出された第１特徴量がその第２特徴量に含まれることになるので、ユーザ端末が撮影した媒体の画像に含まれる領域画像として、領域画像Ｅ１を特定する。領域画像特定部３０４は、特定した領域画像を宛先情報通知部３０５に供給する。
【００５９】
サーバ装置３０の宛先情報通知部３０５は、ユーザ端末から要求された宛先情報を要求元のユーザ端末に通知する。宛先情報通知部３０５は、領域画像特定部３０４から領域画像が供給されると、その領域画像に対応付けて宛先情報・領域画像記憶部３０２に記憶されているＵＲＬを、ユーザ端末（この例ではスマートフォン４０）から要求された宛先情報として特定する。宛先情報通知部３０５は、領域画像Ｅ１が特定された場合、図１１で領域画像Ｅ１を表す「Ｒ０１．ｊｐｇ」に対応付けられているＵＲＬを宛先情報として特定する。
【００６０】
宛先情報通知部３０５は、特定したＵＲＬを宛先情報・領域画像記憶部３０２から読み出して前述した要求データの送信元に送信することで、要求された宛先情報をユーザ端末に通知する。このように、サーバ装置３０は、サーバ装置３０から送信されてきた宛先情報及び領域画像に基づいて、印刷画像（例えばパンフレット画像Ｂ１）が形成された媒体（例えば媒体Ｐ２）のうち印刷画像の特定の領域を撮影したユーザ端末に対してその特定の領域の画像である領域画像に対応付けられたコンテンツ（例えば図１に表すコンテンツＡ１）の宛先情報を通知する。この媒体Ｐ２は本発明の「第２の媒体」の一例である。
【００６１】
送信された宛先情報は、スマートフォン４０のコンテンツ要求部４０３に供給される。コンテンツ要求部４０３は、サーバ装置３０から通知された宛先情報が表す宛先にコンテンツを要求する。コンテンツ要求部４０３は、例えば通知されたＵＲＬを宛先としてＨＴＴＰ（Hypertext Transfer Protocol）リクエストを送信することで、そのＵＲＬにより所在が特定されるコンテンツを要求する。
【００６２】
本実施例では、送信されたＨＴＴＰリクエストは、ウェブページ等のコンテンツを記憶しているコンテンツ配信装置１０によって受信され、コンテンツ読出部１０１に供給される。コンテンツ読出部１０１は、ユーザ端末から要求されたコンテンツを読み出す。具体的には、コンテンツ読出部１０１は、供給されたＨＴＴＰリクエストが表すコンテンツを読み出し、コンテンツ送信部１０２に供給する。コンテンツ送信部１０２は、コンテンツ読出部１０１が読み出したコンテンツを、そのコンテンツの要求元であるユーザ端末に送信する。
【００６３】
本実施例では、まずＨＴＭＬ（HyperText Markup Language）文書がコンテンツ配信装置１０からスマートフォン４０に対して送信され、そのＨＴＭＬ文書がコンテンツ表示部４０４及びコンテンツ要求部４０３に供給される。コンテンツ要求部４０３は、そのＨＴＭＬ文書に記述された画像ファイルや動画ファイルを要求し、それに応答してコンテンツ配信装置１０が要求されたファイルをスマートフォン４０に送信する。コンテンツ表示部４０４は、こうして自装置の要求に応答してコンテンツ配信装置１０から送信されてきたコンテンツを表示する。
【００６４】
図１３は表示されたコンテンツの一例を表す。図１３の例では、コンテンツ表示部４０４が、スマートフォン４０のタッチスクリーン４６に、図１に表すコンテンツＡ１を表示している。コンテンツ提供システム１が備える各装置は、上記の構成に基づいて、領域画像と宛先情報とを対応付ける対応付け処理と、ユーザにコンテンツを提供するコンテンツ提供処理とを行う。
【００６５】
図１４は対応付け処理における各装置の動作手順の一例を表す。この動作手順は、対応付け処理に関連する作業を行う作業者が画像読取装置２０に画像読み取りの操作を行うことを契機に開始される。まず、画像読取装置２０（画像読取部２０１）は、印刷画像が形成された媒体から画像を読み取る（ステップＳ１１）。次に、画像読取装置２０（読取画像取得部２０２）は、媒体から読み取られた読取画像を取得する（ステップＳ１２）。続いて、画像読取装置２０（領域画像抽出部２０３）は、取得された読取画像から領域画像を抽出する（ステップＳ１３）。
【００６６】
図１４の例では、次に、画像読取装置２０（宛先情報候補表示部２０５）は、例えば図８に表すように宛先情報の候補を表示する（ステップＳ１４）。続いて、画像読取装置２０（選択操作受付部２０６）は、表示された候補のうちのいずれかを選択するユーザの操作を受け付ける（ステップＳ１５）。そして、画像読取装置２０（宛先情報対応付け部２０９）は、抽出された領域画像と選択された宛先情報とを対応付ける（ステップＳ１６）。なお、ステップＳ１４では、画像読取装置２０（入力欄表示部２０７）が例えば図９に表すように入力欄を表示して、ステップＳ１５では、画像読取装置２０（入力操作受付部２０８）が宛先情報を表す文字列を入力するユーザの操作を受け付けてもよい。
【００６７】
画像読取装置２０（宛先情報・領域画像送信部２１０）は、ステップＳ１６で対応付けられた宛先情報及び領域画像をサーバ装置３０に送信する（ステップＳ１７）。サーバ装置３０（第１特徴量算出部３０１）は、送信されてきた領域画像から第１特徴量を算出する（ステップＳ２１）。サーバ装置３０（宛先情報・領域画像記憶部３０２）は、算出された第１特徴量が条件を満たす場合に、ステップＳ１７で送信されてきた宛先情報及び領域画像と、その領域情報について算出された第１特徴量とを互いに対応付けて記憶する（ステップＳ２２）。
【００６８】
上記の対応付け処理においては、領域画像を抽出するために、例えば読取画像を画面に表示させ、作業者がその画面上で特定の位置を指し示す操作を行って領域画像の範囲を指定する方法も考えられる。しかし、この操作を画像読取装置２０で行おうとすると操作パネル２７に読取画像を表示させることになるが、例えばパーソナルコンピュータ等のディスプレイに比べると、操作パネルは画面が小さい場合が多くて前述の操作が行いにくい。本実施例では、領域画像抽出部２０３が領域画像を抽出することで、媒体から読み取られた画像が表示された画面上でその画像の特定の位置を指し示す操作が行われなくとも、その画像の特定の領域が指定されるようになっている。
【００６９】
また、本実施理では、ユーザが複数の宛先情報の候補（例えば図８に表すもの）から選択する操作を行うだけで宛先情報が送信され、また、ユーザが宛先情報の入力欄（例えば図９に表すもの）に文字列を入力する操作を行うだけで宛先情報が送信される。
【００７０】
図１５はコンテンツ提供処理における各装置の動作手順の一例を表す。この動作手順は、スマートフォン４０を利用するユーザが媒体を撮影する操作を行うことを契機に開始される。まず、スマートフォン４０（撮影部４０１）は、画面に映っている媒体を撮影する（ステップＳ３１）。次に、スマートフォン４０（宛先情報要求部４０２）は、撮影した媒体の画像に基づいてサーバ装置３０に宛先情報を要求する要求データを送信する（ステップＳ３２）。
【００７１】
サーバ装置３０（第２特徴量算出部３０３）は、送信されてきた要求データが表す画像、すなわちステップＳ３１において撮影された媒体の画像の第２特徴量を算出する（ステップＳ３３）。次に、サーバ装置３０（領域画像特定部３０４）は、算出した第２特徴量と、自装置に記憶されている第１特徴量から送信されてきた要求データが表す画像に含まれる領域画像を特定する（ステップＳ３４）。続いて、サーバ装置３０（宛先情報通知部３０５）は、特定された領域画像に対応付けて記憶されている宛先情報を読み出し（ステップＳ３５）、読み出した宛先情報をスマートフォン４０に送信する（ステップＳ３６）。
【００７２】
スマートフォン４０（コンテンツ要求部４０３）は、サーバ装置３０から通知された宛先情報が表す宛先（この例ではコンテンツ配信装置のＵＲＬ）にコンテンツを要求する（ステップＳ４１）。コンテンツ配信装置１０（コンテンツ読出部１０１）は、まず、ステップＳ４１において要求されたコンテンツを読み出す（ステップＳ４２）。次に、コンテンツ配信装置１０（コンテンツ送信部１０２）は、読み出したコンテンツをスマートフォン４０に送信する（ステップＳ４３）。スマートフォン４０（コンテンツ表示部４０４）は、ステップＳ４３で送信されてきたコンテンツを表示する（ステップＳ４４）。
【００７３】
［２］第２実施例
本発明の第２実施例について、以下、第１実施例と異なる点を中心に説明する。第２実施例では、第１実施例とは異なる方法で宛先情報が指定される。
図１６は第２実施例のコンテンツ提供システム１ａが備える各装置が実現する機能構成を表す。コンテンツ配信装置１０、サーバ装置３０及びスマートフォン４０は図６に表す各部を備える。画像読取装置２０ａは、図６に表す宛先情報候補登録部２０４から入力操作受付部２０８までの各部に代えて、連続読取操作受付部２１１と、境界認識部２１２と、宛先情報認識部２１３とを備える。
【００７４】
連続読取操作受付部２１１は、ユーザによる連続読取操作を受け付ける。連続読取操作とは、２枚の媒体から連続して読取画像を取得する処理を指示する操作である。
図１７は連続読取操作を受け付けるための画面の一例を表す。図１７では、「２枚連続で画像を読み取りますか？」という文章と、「はい」という文字列を含むボタン画像Ｇ１１とが表示されている。ユーザがボタン画像Ｇ１１を押す操作を行うと、連続読取操作受付部２１１はこの操作を連続読取操作として受け付け、その旨を読取画像取得部２０２に通知する。
【００７５】
本実施例の読取画像取得部２０２は、連続読取操作受付部２１１からの通知を受け取ると、その後に画像読取部２０１から供給される１枚目の媒体から読み取られた読取画像を取得するとそれを領域画像抽出部２０３に供給し、２枚目の媒体から読み取られた読取画像を取得するとそれを境界認識部２１２及び宛先情報認識部２１３に供給する。本実施例では、ユーザは、連続読取操作を行った後、次の２枚の媒体から画像を読み取らせるものとする。
【００７６】
図１８は連続で画像が読み取られる２枚の媒体の一例を表す。図１８（ａ）では１枚目の媒体Ｐ１１が表されている。媒体Ｐ１１には、印刷画像Ｂ２が形成されている。印刷画像Ｂ２の領域Ｃ２１には○○公園の写真が表され、領域Ｃ２２には○○記念館の写真が表され、領域Ｃ２３には○○高原の写真が表されている。図１８（ｂ）では２枚目の媒体Ｐ１２が表されている。媒体Ｐ１２には、印刷画像Ｂ２の領域Ｃ２１、Ｃ２２、Ｃ２３の境界を表す線分Ｌ１１、Ｌ１２、Ｌ１３、Ｌ１４、Ｌ１５、Ｌ１６（これらを区別しない場合「境界線分Ｌ１０」という）と、各領域に表された領域画像に対応付ける宛先情報Ｕ２１、Ｕ２２、Ｕ２３とが描かれている。境界線分Ｌ１０はユーザによって描かれた線分であり、宛先情報Ｕ２１、Ｕ２２、Ｕ２３はユーザによって描かれた文字列である。
【００７７】
このように、媒体Ｐ１２には、印刷画像の特定の領域の境界を表す境界画像と、宛先情報とが描かれている。境界画像が描かれた媒体Ｐ１２は本発明の「第３の媒体」の一例であり、また、媒体Ｐ１２は、宛先情報が描かれていることで本発明の「第４の媒体」の一例にもなっている。読取画像取得部２０２は、第３の媒体の一例としての媒体Ｐ１２から境界画像を含む読取画像を取得することになり、この取得された読取画像は本発明の「第４画像」の一例である。また、読取画像取得部２０２は、第４の媒体の一例としての媒体Ｐ１２から宛先情報を含む読取画像を取得することになり、この取得された読取画像は本発明の「第５画像」の一例である。
【００７８】
境界認識部２１２は、読取画像取得部２０２により取得された読取画像から特定の領域の境界を認識する。具体的には、境界認識部２１２は、読取画像取得部２０２から２枚目の媒体から読み取られた読取画像が供給されると、例えばその読取画像から閾値以上の長さの線分を抽出する。この線分の抽出には、Ｈｏｕｇｈ変換による方法や細線化による方法などの周知の方法が用いられればよい。境界認識部２１２は、図１８（ｂ）に表す媒体Ｐ１２から読み取られた読取画像からは各境界線分Ｌ１０を表す線分を抽出し、抽出したこれらの線分を特定の領域の境界として認識する。境界認識部２１２は、認識した境界を表す境界情報（例えば読取画像に設定されたＸＹ座標系において、抽出した各線分を表す数式）を領域画像抽出部２０３に供給する。
【００７９】
領域画像抽出部２０３は、境界認識部２１２により認識された境界で区切られた画像を領域画像として抽出する。領域画像抽出部２０３は、読取画像取得部２０２から１枚目の媒体から読み取られた読取画像が供給され、境界認識部２１２から境界情報が供給されると、その読取画像から、境界情報により表される線分で区切られた画像を領域画像として抽出する。例えば図１８の例であれば、領域画像抽出部２０３は、媒体Ｐ１１の読取画像から、線分Ｌ１１、Ｌ１２、Ｌ１３、Ｌ１４で区切られた領域Ｃ２１に表された画像を領域画像として抽出する。また、領域画像抽出部２０３は、媒体Ｐ１１の読取画像から、線分Ｌ１２、Ｌ１３、Ｌ１５、Ｌ１６で区切られた領域Ｃ２２に表された画像を領域画像として抽出し、線分Ｌ１３、Ｌ１４、Ｌ１５、Ｌ１６で区切られた領域Ｃ２３に表された画像を領域画像として抽出する。
【００８０】
宛先情報認識部２１３は、読取画像取得部２０２により取得された読取画像から宛先情報を認識する。具体的には、宛先情報認識部２１３は、読取画像取得部２０２から２枚目の媒体から読み取られた読取画像が供給されると、その読取画像から周知のＯＣＲ（Optical character recognition）の技術を用いて文字列を抽出し、抽出した文字列を宛先情報として認識する。宛先情報認識部２１３は、図１８の例であれば、図１８（ｂ）に表す宛先情報Ｕ２１、Ｕ２２、Ｕ２３を認識する。宛先情報認識部２１３は、認識した宛先情報と、その宛先情報の配置を表す配置情報とを宛先情報対応付け部２０９に供給する。配置情報は、例えば前述した読取画像に設定されたＸＹ座標系において、各宛先情報の先頭の座標によって表される。
【００８１】
宛先情報対応付け部２０９は、宛先情報認識部２１３により認識された宛先情報を領域画像抽出部２０３により抽出された領域画像に対応付ける。宛先情報対応付け部２０９は、宛先情報認識部２１３から供給された配置情報に基づいて宛先情報が配置されていた領域の領域画像を特定し、それらの宛先情報及び領域画像を対応付ける。宛先情報対応付け部２０９は、図１８の例であれば、領域Ｃ２１の領域画像と宛先情報Ｕ２１とを対応付け、領域Ｃ２２の領域画像と宛先情報Ｕ２２とを対応付け、領域Ｃ２３の領域画像と宛先情報Ｕ２３とを対応付ける。
【００８２】
宛先情報・領域画像送信部２１０は、以上のとおり宛先情報認識部２１３により認識された宛先情報をサーバ装置３０に送信する。以上のとおり、本実施例によれば、図１８（ｂ）に表す媒体Ｐ１２のように、ユーザの手書きにより領域画像の境界が決められ、また、ユーザの手書きにより宛先情報が指定される。
【００８３】
［３］第３実施例
本発明の第３実施例について、以下、第１及び第２実施例と異なる点を中心に説明する。第３実施例では、第１及び第２実施例とは異なる方法で宛先情報が指定される。
図１９は第３実施例のコンテンツ提供システム１ｂが備える各装置が実現する機能構成を表す。コンテンツ提供システム１ｂは、コンテンツ格納装置１０ｂと、画像読取装置２０ｂと、サーバ装置３０と、スマートフォン４０とを備える。コンテンツ格納装置１０ｂは、図６に表すコンテンツ読出部１０１及びコンテンツ送信部１０２と、コンテンツ格納部１０３とを備える。画像読取装置２０ｂは、図６に表す宛先情報候補登録部２０４から入力操作受付部２０８までの各部に代えて、格納操作受付部２１４と、読取画像格納部２１５とを備える。
【００８４】
コンテンツ格納装置１０ｂのコンテンツ格納部１０３は、画像読取装置２０ｂにより媒体から読み取られた読取画像を格納する。コンテンツ読出部１０１は、コンテンツ格納部１０３が読取画像を格納した格納場所からコンテンツを読み出す。本実施例では、この格納場所に対応付けてＵＲＬなどの宛先情報が定められる。例えば或る格納場所に対応付けられたＵＲＬを宛先情報としてスマートフォン４０がコンテンツを要求してくると、コンテンツ読出部１０１がそのＵＲＬに対応付けられた格納場所から読取画像を読み出すことで、その読取画像がコンテンツとしてコンテンツ送信部１０２によりスマートフォン４０に送信される。
【００８５】
格納操作受付部２１４は、読取画像取得部２０２により取得された読取画像の格納場所を指定する操作を受け付ける。
図２０は格納場所の指定操作を受け付けるための画面の一例を表す。図２０では、「読取画像を格納する場所を指定してください。」という文章と、「フォルダ０１」、「フォルダ０２」、「フォルダ０３」、・・・という格納場所の名称と、「決定」という文字列を含むボタン画像Ｇ１２とが表示されている。これらの格納場所は、コンテンツ格納装置１０ｂの格納場所を表している。ユーザがいずれかの格納場所を選択して（この例では「フォルダ０２」が選択されている）ボタン画像Ｇ１２を押す操作を行うと、格納操作受付部２１４はこの操作を格納場所の指定操作として受け付け、指定された格納場所を読取画像格納部２１５に通知する。
【００８６】
本実施例の読取画像取得部２０２は、画像読取部２０１から供給された読取画像を領域画像抽出部２０３及び読取画像格納部２１５に供給する。読取画像格納部２１５は、読取画像取得部２０２により取得された読取画像を決められた格納場所に格納する。読取画像格納部２１５は本発明の「格納部」の一例である。読取画像格納部２１５は、例えば、格納操作受付部２１４から通知された格納場所、すなわち格納操作受付部２１４が受け付けた操作により指定された格納場所に読取画像を格納する。
【００８７】
読取画像格納部２１５は、読取画像取得部２０２から供給された読取画像と、指定された格納場所に格納する旨とを表す格納要求データをコンテンツ格納装置１０ｂに送信する。コンテンツ格納装置１０ｂのコンテンツ格納部１０３は、この要求データを受け取ると、受け取った要求データが表す読取画像を要求された格納場所に格納する。読取画像格納部２１５はこのようにして決められた格納場所に読取画像を格納する。読取画像格納部２１５は、読取画像を格納した格納場所からその読取画像を取得する要求の送り先を表す情報（例えばＵＲＬ）を宛先情報対応付け部２０９に供給する。
【００８８】
宛先情報対応付け部２０９が読取画像格納部２１５から供給された情報を宛先情報として領域画像に対応付けることで、宛先情報・領域画像送信部２１０は、読取画像格納部２１５により読取画像が格納された格納場所からその読取画像を取得する要求の送り先を表す情報を宛先情報としてサーバ装置３０に送信する。これにより、コンテンツ格納装置１０ｂに格納された読取画像がコンテンツとしてユーザに提供される。本変形例によれば、上記のとおり、読取画像を格納場所に格納することで宛先情報が指定されることになる。
【００８９】
［４］変形例
上述した各実施例はそれぞれが本発明の実施の一例に過ぎず、以下のように変形させてもよい。また、各実施例及び各変形例は、必要に応じて組み合わせて実施してもよい。
【００９０】
［４−１］領域画像の抽出方法
領域画像抽出部２０３は、実施例では最大正方形領域に表された画像を領域画像として抽出したが、それとは異なる領域に表された画像を領域画像として抽出してもよい。
図２１は本変形例で抽出される領域画像の例を表す。図２１（ａ）では、領域画像抽出部２０３は、長方形の領域Ｃ１１に表された画像を領域画像として抽出している。図２１（ｂ）では、領域画像抽出部２０３は、楕円形の領域Ｃ１２に表された画像を領域画像として抽出している。
【００９１】
図２１（ｃ）では、領域画像抽出部２０３は、複数の正方形の領域Ｃ１３、Ｃ１４、Ｃ１５、Ｃ１６にそれぞれ表された画像を領域画像として抽出している。この場合、領域画像抽出部２０３は、例えば、いずれも決められた大きさであり且つ読取画像の角に接する（決められた距離だけ離れていてもよい）４つの正方形領域を抽出する。このように領域画像抽出部２０３が複数の領域画像を抽出した場合、宛先情報対応付け部２０９は、例えば抽出された複数の領域画像のそれぞれに対して異なる宛先情報を対応付ける。これにより、１つの読取画像に対して複数のコンテンツが対応付けられる。
【００９２】
また、宛先情報対応付け部２０９は、抽出された複数の領域画像に対して共通の宛先情報を対応付けてもよい。その場合、宛先情報・領域画像送信部２１０は、そうして対応付けられた複数の領域画像及び共通の宛先情報を送信する。これにより、ユーザ端末により複数の領域画像のうちのどれが撮影されても共通の宛先情報にコンテンツが要求されることになり、領域画像が１つしか抽出されない場合に比べて、特定のコンテンツ（共通の宛先情報を用いて要求されるコンテンツ）がユーザに提供されやすくなる。
【００９３】
領域画像抽出部２０３は、実施例では、読取画像の最大正方形領域に表された領域画像、すなわち読取画像の寸法に応じた大きさの領域画像を抽出したが、これに限らない。例えば、領域画像抽出部２０３は、印刷画像が形成された媒体の寸法に応じた大きさの領域画像を抽出してもよい。媒体の寸法は、例えば画像読取部２０１が媒体から画像を読み取る際に検出されるので、その検出された寸法を用いて領域画像抽出部２０３は領域画像の大きさを判断する。
【００９４】
図２２は本変形例で領域画像が抽出される媒体の例を表す。図２２（ａ）、（ｂ）、（ｃ）ではそれぞれ媒体Ｐ２１、Ｐ２２、Ｐ２３が表されており、これらの媒体の寸法の関係はＰ２１＜Ｐ２２＜Ｐ２３となっている。領域画像抽出部２０３は、媒体Ｐ２１から読み取られた読取画像からは領域Ｃ２１に表された画像を領域画像として抽出する。また、領域画像抽出部２０３は、媒体Ｐ２２から読み取られた読取画像からは領域Ｃ２２に表された画像を領域画像として抽出し、媒体Ｐ２３から読み取られた読取画像からは領域Ｃ２３に表された画像を領域画像として抽出する。
【００９５】
図２２に表す各領域の大きさの関係はＣ２１＜Ｃ２２＜Ｃ２３となっている。領域画像抽出部２０３は、例えば媒体の寸法と領域画像の大きさとを対応付けたテーブルを用いて領域画像の大きさを判断する。このように媒体の寸法に応じた大きさの領域画像が抽出されることで、例えばそれらの媒体に同じ印刷画像が媒体の寸法に合わせた大きさで形成された場合に、その印刷画像の同じ領域を表す画像を領域画像として抽出することが可能になる。
【００９６】
なお、領域画像抽出部２０３は、読取画像や媒体の寸法に限らず、例えば、印刷画像の寸法（媒体の寸法が変わっても印刷画像は決められた寸法で形成される場合など）に応じた大きさの領域画像を抽出してもよい。この場合、例えば印刷画像の寸法が異なっても印刷画像に対して領域画像の占める割合を一定にすることが可能になる。また、領域画像抽出部２０３は、前述した各寸法に応じた大きさに限らず、各寸法に応じた形の領域画像を抽出してもよい。例えば、領域画像抽出部２０３は、読取画像の寸法が大きいほど縦長の長方形の領域画像を抽出するといった具合である。
【００９７】
また、領域画像抽出部２０３は、前述した各寸法に応じた数又は配置の領域画像を抽出してもよい。
図２３は本変形例で領域画像が抽出される媒体の例を表す。図２３（ａ）、（ｂ）、（ｃ）ではそれぞれ読取画像Ｄ３１、Ｄ３２、Ｄ３３が表されており、これらの読取画像の寸法の関係はＤ３１＜Ｄ３２＜Ｄ３３となっている。領域画像抽出部２０３は、読取画像Ｄ３１からは３つの領域群Ｃ３１に表された画像を領域画像として抽出する。
【００９８】
また、領域画像抽出部２０３は、読取画像Ｄ３２からは５つの領域群Ｃ３２に表された画像を領域画像として抽出し、読取画像Ｄ３３からは９つの領域群Ｃ３３に表された画像を領域画像として抽出する。図２３の例では、読取画像の寸法が大きくなるにつれて領域画像の数を増やし、且つ、各領域画像が互いに離れて配置されるようにすることで、スマートフォンが撮影した撮影画像に領域画像が含まれやすくなるように領域画像が抽出されている。また、本変形例では、以上のとおり領域画像抽出部２０３が領域画像の抽出に媒体、印刷画像又は読取画像の寸法を用いることで、それらの寸法に合わせた領域画像が抽出される。
【００９９】
［４−２］格納場所の指定
第３実施例では画像読取装置がコンテンツ格納装置の格納場所に格納した読取画像がコンテンツとして提供されたが、他の装置がその格納場所に格納した読取画像がコンテンツとして提供されてもよい。
図２４は本変形例のコンテンツ提供システム１ｃが備える各装置が実現する機能構成を表す。コンテンツ提供システム１ｃは、コンテンツ格納装置１０ｃと、画像読取装置２０ｃと、サーバ装置３０と、スマートフォン４０とを備える。コンテンツ格納装置１０ｃは、図１９に表すコンテンツ格納装置１０ｂと共通の各部と、格納場所・宛先情報通知部１０４とを備える。画像読取装置２０ｃは、図６に表す宛先情報候補登録部２０４から入力操作受付部２０８までの各部に代えて、格納場所表示部２１６と、格納場所指定操作受付部２１７とを備える。
【０１００】
コンテンツ格納装置１０ｃのコンテンツ格納部１０３は、印刷画像が形成された媒体（本発明の「第１の媒体」の一例）から読み取られた読取画像を格納する。この読取画像の読み取りは、画像読取装置２０ｃによって行われてもよいし、それ以外の画像を読み取る装置によって行われてもよい。格納場所・宛先情報通知部１０４は、コンテンツ格納部１０３により読取画像が格納された格納場所と、その格納場所に対応付けられている宛先情報とを外部装置からの問い合わせに応答して通知する。
【０１０１】
画像読取装置２０ｃの格納場所表示部２１６は、コンテンツ格納装置１０ｃに格納されている読取画像の格納場所を表示する。格納場所表示部２１６は、格納場所を表示させる操作がユーザによって行われると、コンテンツ格納装置１０ｃに格納場所を問い合わせ、その応答で通知される格納場所を表示する。格納場所指定操作受付部２１７は、格納場所表示部２１６により表示された格納場所のうちのいずれかを指定する指定操作を受け付ける。
【０１０２】
図２５は読取画像の格納場所が表示された画面の一例を表す。図２５では、格納場所表示部２１６が、「コンテンツとして提供する読取画像が格納されている場所を指定してください。」という文章と、「フォルダ０１」、「フォルダ０２」、「フォルダ０３」、・・・という格納場所の名称と、「決定」という文字列を含むボタン画像Ｇ１３とを表示している。ユーザがいずれかの格納場所を選択してボタン画像Ｇ１３を押す操作を行うと、格納場所指定操作受付部２１７は、この操作を格納場所の指定操作として受け付け、指定された格納場所を読取画像取得部２０２に通知する。その際、格納場所指定操作受付部２１７は、その格納場所とともに通知された宛先情報を宛先情報対応付け部２０９に通知する。
【０１０３】
読取画像取得部２０２は、複数の格納場所のうちユーザが指定した格納場所に格納されている読取画像を取得する。読取画像取得部２０２は、格納場所指定操作受付部２１７から格納場所が通知されると、その格納場所に格納されている読取画像をコンテンツ格納装置１０ｃに要求する。コンテンツ格納装置１０ｃのコンテンツ格納部１０３は、この要求を受け取ると、要求された読取画像を要求元（この例では画像読取装置２０ｃ）に供給する。読取画像取得部２０２はこうして供給された読取画像を取得する。
【０１０４】
領域画像抽出部２０３がこうして取得された読取画像から領域画像を抽出すると、宛先情報対応付け部２０９が、抽出された領域画像と、格納場所指定操作受付部２１７から通知された宛先情報、すなわち取得された読取画像の格納場所の宛先情報とを対応付ける。その結果、宛先情報・領域画像送信部２１０は、読取画像取得部２０２により取得された読取画像が格納されていた格納場所に格納された読取画像の要求の送り先を表す情報を宛先情報として送信する。以上のとおり、本変形例では、ユーザが読取画像の格納場所を指定することで宛先情報が指定されることになる。
【０１０５】
［４−３］宛先情報の候補の選択
図８の例では宛先情報の候補を選択させる画面にコンテンツ名及びＵＲＬの両方が表示されたが、一方だけが表示されてもよい。ただし、コンテンツ名だけが表示された場合でも、そのコンテンツには宛先情報が既に対応付けられているか、後から対応付けられることが決まっているものとする。このように宛先情報の候補を表す情報としてコンテンツ名が表示されるのであれば、コンテンツ名を選択することで宛先情報も選択されることになる。
【０１０６】
また、第１実施例では、宛先情報候補表示部２０５が登録された宛先情報の候補を全て表示したが、これに限らない。
図２６は本変形例の画像読取装置２０ｄが実現する機能構成の一例を表す。画像読取装置２０ｄは、図６に表す各部に加えて宛先情報候補選択部２１８を備える。宛先情報候補選択部２１８には、宛先情報候補登録部２０４によって登録された宛先情報が供給される。宛先情報候補選択部２１８は、供給された宛先情報の候補のうちから、ユーザに提示する候補を選択する。
【０１０７】
宛先情報候補選択部２１８には、読取画像取得部２０２から取得された読取画像が供給され、また、領域画像抽出部２０３から抽出された領域画像が供給される。宛先情報候補選択部２１８は、例えば供給された画像からＯＣＲの技術で文字を認識し、認識した文字が表す単語と関係するコンテンツへの宛先を表す宛先情報を選択する。例えば、北海道から沖縄まで各地域に関するコンテンツの宛先情報の候補が登録されており、画像から「東北」という単語が認識された場合、宛先情報候補選択部２１８は、東北地方に関するコンテンツの宛先情報の候補を選択する。
【０１０８】
このように、宛先情報候補選択部２１８は、読み取られた読取画像又は抽出された領域画像に応じた宛先情報の候補を選択し、選択した宛先情報の候補を宛先情報候補表示部２０５に供給する。宛先情報候補表示部２０５は、供給された宛先情報の候補（つまり選択された宛先情報の候補）を表示する。これにより、登録された宛先情報の候補の全てが表示されるよりも、読取画像又は領域画像に関連する候補に絞られて表示される分、宛先情報の候補をユーザが選びやすくなる。
【０１０９】
なお、宛先情報候補選択部２１８は、上記の例に限らず、例えば、現在の時期に応じた宛先情報の候補を選択してもよい。例えば、冬には冬に関係するコンテンツの宛先情報を選択し、夏には夏に関係するコンテンツの宛先情報を選択するといった具合である。この場合も上記同様に宛先情報の候補をユーザが選びやすくなる。
【０１１０】
［４−４］領域の境界及び宛先情報の認識方法
第２実施例における領域の境界及び宛先情報の認識方法は上述したものに限らない。例えば、図１８（ａ）に表す媒体Ｐ１１に図１８（ｂ）に表す宛先情報Ｕ２１、Ｕ２２、Ｕ２３を書き込んでおき、図１６に表す宛先情報認識部２１３が媒体Ｐ１１から宛先情報を認識する。本変形例の宛先情報認識部２１３は、宛先情報が描かれた読取画像が取得された場合にその読取画像から宛先情報を認識する。つまり、この読取画像は、宛先情報が描かれた印刷画像が形成された媒体から読み取られた画像であり、上述した本発明の「第２画像」の一例である。この宛先情報は、ユーザが手書きで描いてもよいし、例えば画像形成装置によって描かれていてもよい。
【０１１１】
また、媒体Ｐ１１に領域Ｃ２１、Ｃ２２、Ｃ２３の境界を表す線分が認識可能となっていれば、境界認識部２１２は、媒体Ｐ１１の読取画像から各領域の境界を認識する。本変形例の境界認識部２１２は、境界画像が描かれた読取画像が取得された場合にその読取画像から特定の領域の境界を認識する。つまり、この読取画像は、境界画像が描かれた印刷画像が形成された媒体から読み取られた画像であり、上述した本発明の「第２画像」の一例である。この境界画像は、ユーザが手書きで描いてもよいし、例えば画像形成装置によって描かれていてもよい。
【０１１２】
この場合、領域画像抽出部２０３は、媒体Ｐ１１の読取画像から、媒体Ｐ１１に書き込まれた宛先情報を除去した上で領域画像を抽出する。領域画像抽出部２０３は、例えば宛先情報の書き込みが特定の色のペンで行われていれば、その色の画素を周囲の画素で補間することで宛先情報を除去する。これにより、図１８の例のように２枚目の媒体を用意しなくてもよくなる。
【０１１３】
また、ユーザが書き込む宛先情報をＵＲＬではなく例えばコンテンツに関する単語や文章としてもよい。その場合、宛先情報認識部２１３は、認識された文字列をインターネット等で提供される検索サービスで検索し、その検索結果として得られるウェブページのＵＲＬを宛先情報として認識する。宛先情報認識部２１３は、例えば検索結果のうち最初に表示されるものを宛先情報として認識してもよいし、検索結果のうちの上位のものを表示して、そこからユーザが選択したものを宛先情報として認識してもよい。これにより、ユーザがコンテンツのＵＲＬを知らなくても宛先情報が認識されることになる。
【０１１４】
［４−５］領域画像の抽出方法
領域画像抽出部２０３が領域画像を抽出する方法は上述したものに限らない。領域画像抽出部２０３は、例えば、読取画像から特定の対象物を認識し、認識した対象物を含む領域画像を抽出してもよい。特定の対象物とは、例えば人物の顔や人物の全身、乗り物、建物、動物などである。領域画像抽出部２０３は、これらの対象物を、例えば人や乗り物などの特定のオブジェクトを含むサンプル画像から特徴量の傾向を学習する手法（カスケード型分類器やＨａａｒ分類器などと呼ばれるもの）などを用いて認識し、認識した対象物の輪郭に外接する長方形の画像を領域画像として抽出する。
【０１１５】
ユーザが媒体に形成された印刷画像を撮影する場合、その印刷画像に人物や乗り物などが含まれていれば、それらの対象物を画面に収めるように撮影することが多い。本変形例によれば、そのような対象物を含む領域画像が抽出されるので、対象物の認識を行わない場合に比べて、ユーザが撮影した画像に領域画像が含まれやすくなる。
【０１１６】
［４−６］各部を実現する装置
図６等に表す各部を実現する装置は上述したものに限らない。
図２７は本変形例のコンテンツ提供システムが実現する機能構成の一例を表す。図２７では、コンテンツ配信装置１０と、画像読取機２０ｅと、画像読取装置２０ｆと、サーバ装置３０ｅと、スマートフォン４０ｅとを備えるコンテンツ提供システム１ｅが表されている。
【０１１７】
画像読取機２０ｅは、図３に表すイメージスキャナ２６を備え、図６に表す画像読取部２０１を実現する。画像読取機２０ｅは、読み取った画像（この例における読取画像）を画像読取装置２０ｆに供給する。画像読取装置２０ｆは、図６に表す読取画像取得部２０２から宛先情報・領域画像送信部２１０までの９つの機能を備える。このように、画像読取装置は、イメージスキャナが外付けとなっていてもよい。
【０１１８】
サーバ装置３０ｅは、図６に表すサーバ装置３０が備える各部のうち第２特徴量算出部３０３を除く各部を備える。一方、スマートフォン４０ｅは、図６に表すスマートフォン４０が備える各部に加えて第２特徴量算出部３０３を備える。このように、ユーザ端末側で第２特徴量の算出を行ってもよい。図２７の例以外にも、様々な装置が図６等に表す各部を実現してもよい。
【０１１９】
［４−７］発明のカテゴリ
本発明は、上述した画像読取装置のような情報処理装置、サーバ装置のような通知装置、スマートフォンのようなユーザ端末（スマートフォンに限らず、タブレット端末やノート型パソコンなどでもよい）、コンテンツ配信装置やコンテンツ格納装置などの他、それらの装置を備えるコンテンツ提供システムのような情報処理システムとしても捉えられる。また、本発明は、それらの装置が実施する処理を実現するための情報処理方法としても捉えられるし、それらの装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【０１２０】
１…コンテンツ提供システム、２…通信回線、１０…コンテンツ配信装置、２０…画像読取装置、３０…サーバ装置、４０…スマートフォン、１０１…コンテンツ読出部、１０２…コンテンツ送信部、１０３…コンテンツ格納部、１０４…格納場所・宛先情報通知部、２０１…画像読取部、２０２…読取画像取得部、２０３…領域画像抽出部、２０４…宛先情報候補登録部、２０５…宛先情報候補表示部、２０６…選択操作受付部、２０７…入力欄表示部、２０８…入力操作受付部、２０９…宛先情報対応付け部、２１０…宛先情報・領域画像送信部、２１１…連続読取操作受付部、２１２…境界認識部、２１３…宛先情報認識部、２１４…格納操作受付部、２１５…読取画像格納部、２１６…格納場所表示部、２１７…格納場所指定操作受付部、２１８…宛先情報候補選択部、３０１…第１特徴量算出部、３０２…宛先情報・領域画像記憶部、３０３…第２特徴量算出部、３０４…領域画像特定部、３０５…宛先情報通知部、４０１…撮影部、４０２…宛先情報要求部、４０３…コンテンツ要求部、４０４…コンテンツ表示部
【図１】
0006610192.tif 000002
【図２】
0006610192.tif 000003
【図３】
0006610192.tif 000004
【図４】
0006610192.tif 000005
【図５】
0006610192.tif 000006
【図６】
0006610192.tif 000007
【図７】
0006610192.tif 000008
【図８】
0006610192.tif 000009
【図９】
0006610192.tif 000010
【図１０】
0006610192.tif 000011
【図１１】
0006610192.tif 000012
【図１２】
0006610192.tif 000013
【図１３】
0006610192.tif 000014
【図１４】
0006610192.tif 000015
【図１５】
0006610192.tif 000016
【図１６】
0006610192.tif 000017
【図１７】
0006610192.tif 000018
【図１８】
0006610192.tif 000019
【図１９】
0006610192.tif 000020
【図２０】
0006610192.tif 000021
【図２１】
0006610192.tif 000022
【図２２】
0006610192.tif 000023
【図２３】
0006610192.tif 000024
【図２４】
0006610192.tif 000025
【図２５】
0006610192.tif 000026
【図２６】
0006610192.tif 000027
【図２７】
0006610192.tif 000028